(57)【要約】【課題】ユーザが動作状態を容易に把握でき、その動作状態に対する適切な操作を容易に把握できる携帯端末装置を提供する。【解決手段】携帯端末装置は、その操作キー３，６，７にＬＥＤなどの表示装置１３〜１８を内蔵する。また、その記憶部に、動作状態と、表示装置でその動作状態を示す状態表示パターン、表示装置でその動作状態に対する操作に用いる操作キーを示す誘導表示パターンとを対応付けて記憶する。そして、所定の動作状態の発生を検知すると、その動作状態に対応した状態表示パターンで表示装置に表示し、その発生をユーザに告知する。また、その動作状態に対する操作に用いる操作キーを誘導表示パターンで表示装置に表示して、ユーザの操作を誘導する。【選択図】        図１
2005057347.tif 000002
【特許請求の範囲】
【請求項１】
表示装置を内蔵する操作キーを含み、
所定の動作状態と前記表示装置の表示方法とを対応付けて記憶する記憶手段と、
動作状態の発生を検知する検知手段と、
前記検知手段において前記所定の動作状態の発生が検知された場合に、前記所定の動作と対応付けて前記記憶手段に記憶される表示方法に基づいて、前記表示装置に表示を行なわせる制御手段とを備える、携帯端末装置。
【請求項２】
前記表示方法は、前記表示装置に対して、前記所定の動作状態が発生していない状態での表示とは異なる表示をさせるための表示方法であって、
前記制御手段は、前記表示装置に前記所定の動作状態が発生した旨を示す表示を行なわせる、請求項１に記載の携帯端末装置。
【請求項３】
前記操作キーを複数備えて、前記表示装置は前記操作キーの各々に内蔵される複数の表示装置を含み、前記表示方法は、前記表示装置に含まれる前記複数の表示装置のうちの所定の表示装置を点灯させるための表示方法である、請求項２に記載の携帯端末装置。
【請求項４】
前記表示方法は、前記所定の動作状態に対する操作に必要な操作キーに内蔵される前記表示装置に対して、前記所定の動作状態が発生していない状態での表示とは異なる表示をさせるための表示方法であって、
前記制御手段は、前記表示装置に前記所定の動作状態に対する操作に必要な操作キーを示す表示を行なわせる、請求項１に記載の携帯端末装置。
【請求項５】
前記記憶装置は、所定の動作状態と前記所定の動作状態に対する操作を誘導する誘導画面とを対応付けてさらに記憶し、
前記検知手段において前記所定の動作状態の発生が検知された場合に、前記所定の動作と対応付けて前記記憶手段に記憶される前記誘導画面を表示部に出力する出力手段をさらに備える、請求項４に記載の携帯端末装置。
【請求項６】
前記記憶手段は、前記検知手段で検知された前記所定の動作状態の発生と共に、前記所定の動作に対する操作時に前記表示部に表示された前記誘導画面と、前記操作キーのうちの前記所定の動作に対してユーザから操作された操作キーとをさらに記憶し、
前記記憶手段を参照して、前記検知手段で検知された前記所定の動作状態の発生が、初めてであるか否かを判定する判定手段をさらに備え、
前記制御手段は、前記判定手段において前記所定の動作状態の発生が初めてではないと判定されたときに、前記所定の動作状態に対する操作に必要な操作キーに内蔵される前記表示装置に替えて、前記所定の動作状態の発生と共に前記記憶手段に記憶される前記所定の動作に対してユーザから操作された操作キーに内蔵される前記表示装置に表示を行なわせ、
前記出力手段は、前記判定手段において前記所定の動作状態の発生が初めてではないと判定されたときに、前記所定の動作と対応付けて前記記憶手段に記憶される前記誘導画面に替えて、前記所定の動作状態の発生と共に前記記憶手段に記憶される前記所定の動作に対する操作時に前記表示部に表示された前記誘導画面を前記表示部に表示する、請求項５に記載の携帯端末装置。
【請求項７】
前記表示方法は、前記表示装置を点灯させるための表示方法と、前記表示装置を所定の点滅のスピードで点滅させるための表示方法と、前記表示装置を所定の光量で点灯させるための表示方法と、前記表示装置を所定の色で点灯させるための表示方法との少なくとも１つである、請求項１〜６のいずれかに記載の携帯端末装置。
【請求項８】
前記所定の動作状態は、ローバッテリ状態と、所定時間のインターネットへの接続状態と、新着メールがある状態と、録音状態と、録画状態と、録音または録画データの再生動作中に所定時間再生信号が出力されていない状態と、メモリの空き容量が規定量以下になっている状態との少なくとも１つである、請求項１〜７のいずれかに記載の携帯端末装置。
【請求項９】
前記所定の動作状態に対する操作は、
前記所定の動作状態がローバッテリ状態であるときには、電源を遮断する操作と、フロントライトを消す操作と、前記ローバッテリ状態に対する操作可能状態をキャンセルする操作とを含み、
前記所定の動作状態が所定時間のインターネットへの接続状態であるときには、前記接続を切断する操作と、前記インターネットへのアクセスを中断させる操作と、前記所定時間のインターネットへの接続状態に対する操作可能状態をキャンセルする操作とを含み、
前記所定の動作状態が新着メールがある状態であるときには、前記新着メールを表示部に表示させる操作と、前記新着メールの一覧を前記表示部に表示させる操作と、前記新着メールがある状態に対する操作可能状態をキャンセルする操作とを含み、
前記所定の動作状態が録音状態であるときには、前記録音の処理を中止させる操作と、前記録音の処理を一時停止させる操作と、前記録音状態に対する操作可能状態をキャンセルする操作とを含み、
前記所定の動作状態が録画状態であるときには、前記録画の処理を中止させる操作と、前記録画の処理を一時停止させる操作と、前記録画状態に対する操作可能状態をキャンセルする操作とを含み、
前記所定の動作状態が録音または録画データの再生動作中に所定時間再生信号が出力されていない状態であるときには、前記再生の処理を中止させる操作と、前記再生の処理を実行させるためのアプリケーションの実行を終了させる操作と、前記録音または録画データの再生動作中に所定時間再生信号が出力されていない状態に対する操作可能状態をキャンセルする操作とを含み、
前記所定の動作状態がメモリの空き容量が規定量以下になっている状態であるときには、前記メモリの状況を表示部に表示させる操作と、当該携帯端末装置を再起動させる操作と、前記メモリの空き容量が規定量以下になっている状態に対する操作可能状態をキャンセルする操作とを含む、請求項４〜６のいずれかに記載の携帯端末装置。
【請求項１０】
表示装置を内蔵する操作キーを含む携帯端末装置の前記表示装置の制御方法であって、
動作状態の発生を検知する検知ステップと、
前記検知ステップにおいて前記所定の動作状態の発生が検知された場合に、前記表示装置の表示方法と所定の動作とが対応付けて記憶されている記憶部を参照し、前記所定の動作と対応付けられている前記表示装置の表示方法に基づいて、前記表示装置に表示を行なわせる制御ステップとを備える、携帯端末装置における表示装置の制御方法。
【請求項１１】
前記表示方法は、前記表示装置に対して、前記所定の動作状態が発生していない状態での表示とは異なる表示をさせるための表示方法であって、
前記制御ステップは、前記表示装置に前記所定の動作状態が発生した旨を示す表示を行なわせる、請求項１０に記載の携帯端末装置における表示装置の制御方法。
【請求項１２】
前記表示方法は、前記所定の動作状態に対する操作に必要な操作キーに内蔵される前記表示装置に対して、前記所定の動作状態が発生していない状態での表示とは異なる表示をさせるための表示方法であって、
前記制御ステップは、前記表示装置に前記所定の動作状態に対する操作に必要な操作キーを示す表示を行なわせる、請求項１０に記載の携帯端末装置における表示装置の制御方法。
【請求項１３】
表示装置を内蔵する操作キーを含む携帯端末装置の前記表示装置の制御をコンピュータに実行させるプログラムであって、
動作状態の発生を検知する検知ステップと、
前記検知ステップにおいて前記所定の動作状態の発生が検知された場合に、前記表示装置の表示方法と所定の動作とが対応付けて記憶されている記憶部を参照し、前記所定の動作と対応付けられている前記表示装置の表示方法に基づいて、前記表示装置に表示を行なわせる制御ステップとを実行させる、携帯端末装置における表示装置の制御プログラム。
【請求項１４】
前記表示方法は、前記表示装置に対して、前記所定の動作状態が発生していない状態での表示とは異なる表示をさせるための表示方法であって、
前記制御ステップは、前記表示装置に前記所定の動作状態が発生した旨を示す表示を行なわせる、請求項１３に記載の携帯端末装置における表示装置の制御プログラム。
【請求項１５】
前記表示方法は、前記所定の動作状態に対する操作に必要な操作キーに内蔵される前記表示装置に対して、前記所定の動作状態が発生していない状態での表示とは異なる表示をさせるための表示方法であって、
前記制御ステップは、前記表示装置に前記所定の動作状態に対する操作に必要な操作キーを示す表示を行なわせる、請求項１３に記載の携帯端末装置における表示装置の制御プログラム。
【発明の詳細な説明】
【０００１】
【発明の属する技術分野】
この発明は携帯端末装置、携帯端末装置における表示装置の制御方法、および携帯端末装置における表示装置の制御プログラムに関し、特に、ユーザの使い勝手のよい携帯端末装置、携帯端末装置における表示装置の制御方法、および携帯端末装置における表示装置の制御プログラムに関する。
【０００２】
【従来の技術】
近年、携帯電話機などの携帯端末装置において、高機能化、小型化が進んできている。そのような携帯端末装置において、ある特定の情報や状態を把握するためには、特定の操作を行なって表示部に表示させその情報を読取ることで得ることが可能であった。そのため、携帯端末装置においては、視覚的な情報から状態が把握できる表示装置、および表示装置による操作の誘導機能への対応実現が重要なファクタとなっている。
【０００３】
具体的には、携帯端末装置において、バッテリ蓄電量が不足した場合など動作状況を通知する場合、バッテリ状態を示すインディケータを表示する、あるいはローバッテリが発生するとコーション表示などがなされる。
【０００４】
また、携帯端末装置において、メールやブラウザ機能を利用してインターネットにアクセスしている場合は、インターネットへアクセス中であることを示すアイコン表示がされる。あるいはメールやブラウザーアプリケーション内の表示において、通信中を示すアイコンが表示される。
【０００５】
また、携帯端末装置において新着メールを告知する方法としては、メールアプリケーションの表示内で新着メールの有無を表示するのが一般的である。
【０００６】
また、携帯端末装置において音声、音楽、動画を録音、録画する場合、同様にアプリケーションの表示内でその動作状態を表示するのが一般的である。
【０００７】
ところで、携帯端末装置は、その携帯性を高めるために小型化が図られ、携帯端末装置自体の小型化に伴なってその表示部のサイズも小型化されている。そのため、その表示から表示内容を容易に把握することができない場合もあった。
【０００８】
具体的には、上述のバッテリのレベルを示すインディケータが小さく見づらい場合があった。また、インターネットへアクセス中であることを示すアイコン表示が小さいことが多く、ユーザが通信中であることを見逃し、切り忘れるという場合もあった。
【０００９】
このような問題を解決するために、特許文献１は、表示部のバックライトに複数色の発光素子を備えて、その色の変化で動作状況を表示する携帯端末装置を開示している。
【００１０】
【特許文献１】
特開平１０−１４５４７５号公報
【００１１】
【発明が解決しようとする課題】
しかしながら、特許文献１に開示されている携帯端末装置を用いた場合であっても、情報や状態を表示部に表示するだけでは、その情報や状態がユーザに通知しきれない場合があるという問題があった。また、状態表示中に次の操作を誘導するための操作可能な操作キーを誘導することや、学習機能により前回の操作に用いた操作キーを提示して操作を迅速に行なえるよう誘導することがなされていないため、ユーザは動作状態を容易に把握して適切な操作を行なうことができない場合があるという問題があった。
【００１２】
具体的には、上述のローバッテリコーション表示は常に表示部に表示されているわけでなく定期的に表示されるため、ユーザがコーション表示を見逃すケースが発生していた。またローバッテリ状態を表示中のみで、ユーザにその状態を改善する操作、あるいは一時的に改善できる可能性のある操作を誘導しないと、その状態を改善する処理がなされない場合もあるという問題があった。
【００１３】
同様に、インターネットへアクセス中であることを示すアイコン表示中のみで、ユーザに接続を切断するよう誘導しないと、適切に接続が切断されない場合もあるという問題があった。この場合、サーバ側あるいは通信カードにおいてデータが長時間転送されていないということが認識されて切断処理が実施されるまで接続状態となっており、多大な通信費がユーザにかかってしまう危険性があった。
【００１４】
また、メールアプリケーションの表示内で新着メールの有無を表示する方法では、ユーザがいちいちメールアプリケーションを起動して新着メールの有無を確認しなければならないという問題があった。また、新着メールの有無を表示するのみで、ユーザに新着メールがある状態表示から新着メールを読むように誘導しないと、新着メールを読むことができない場合もあるという問題があった。
【００１５】
また、同様に、録音・録画のアプリケーションの表示内で動作状態を表示する方法では、確実に録音、録画されているのかが分かりにくい場合があるという問題があった。また、動作状態を表示するのみで、ユーザに、録音・録画処理中に操作可能なキーを表示し処理を誘導しないと、終了処理などができない場合もあるという問題があった。
【００１６】
さらに、音声や画像を再生していてそのデータが終了した場合、再生中という動作状態を示す表示のみで再生処理の中止を誘導しないと、長時間出力信号がないままに再生処理が継続されてしなう場合もあるという問題があった。
【００１７】
本発明はこのような問題に鑑みてなされたものであって、ユーザが動作状態を容易に把握でき、その動作状態に対する適切な操作を容易に把握できる携帯端末装置、携帯端末装置における表示装置の制御方法、および携帯端末装置における表示装置の制御プログラムを提供することを目的とする。
【００１８】
【課題を解決するための手段】
上記目的を達成するために、本発明のある局面に従うと、携帯端末装置は表示装置を内蔵する操作キーを含み、所定の動作状態と表示装置の表示方法とを対応付けて記憶する記憶手段と、動作状態の発生を検知する検知手段と、検知手段において所定の動作状態の発生が検知された場合に、所定の動作と対応付けて記憶手段に記憶される表示方法に基づいて、表示装置に表示を行なわせる制御手段とを備える。
【００１９】
また、上述の表示方法は、表示装置に対して、所定の動作状態が発生していない状態での表示とは異なる表示をさせるための表示方法であって、制御手段は、表示装置に所定の動作状態が発生した旨を示す表示を行なわせることが好ましい。
【００２０】
さらに、携帯端末装置は操作キーを複数備えて、表示装置はその操作キーの各々に内蔵される複数の表示装置を含み、上述の表示方法は、表示装置に含まれる複数の表示装置のうちの所定の表示装置を点灯させるための表示方法であることがより好ましい。
【００２１】
または、上述の表示方法は、所定の動作状態に対する操作に必要な操作キーに内蔵される表示装置に対して、所定の動作状態が発生していない状態での表示とは異なる表示をさせるための表示方法であって、制御手段は、表示装置に所定の動作状態に対する操作に必要な操作キーを示す表示を行なわせることが好ましい。
【００２２】
さらに、記憶装置は、所定の動作状態と所定の動作状態に対する操作を誘導する誘導画面とを対応付けて記憶し、検知手段において所定の動作状態の発生が検知された場合に、所定の動作と対応付けて記憶手段に記憶される誘導画面を表示部に出力する出力手段を備えることがより好ましい。
【００２３】
さらに、記憶手段は、検知手段で検知された所定の動作状態の発生と共に、その所定の動作に対する操作時に表示部に表示された誘導画面と、操作キーのうちのその所定の動作に対してユーザから操作された操作キーとを記憶し、携帯端末装置は、記憶手段を参照して、検知手段で検知された所定の動作状態の発生が、初めてであるか否かを判定する判定手段を備え、制御手段は、判定手段においてその所定の動作状態の発生が初めてではないと判定されたときに、その所定の動作状態に対する操作に必要な操作キーに内蔵される前記表示装置に替えて、その所定の動作状態の発生と共に記憶手段に記憶されるその所定の動作に対してユーザから操作された操作キーに内蔵される表示装置に表示を行なわせ、出力手段は、判定手段においてその所定の動作状態の発生が初めてではないと判定されたときに、その所定の動作と対応付けて記憶手段に記憶される誘導画面に替えて、その所定の動作状態の発生と共に記憶手段に記憶されるその所定の動作に対する操作時に表示部に表示された誘導画面を表示部に表示することがより好ましい。
【００２４】
また、上述の表示方法は、表示装置を点灯させるための表示方法と、表示装置を所定の点滅のスピードで点滅させるための表示方法と、表示装置を所定の光量で点灯させるための表示方法と、表示装置を所定の色で点灯させるための表示方法との少なくとも１つであることが好ましい。
【００２５】
また、所定の動作状態は、ローバッテリ状態と、所定時間のインターネットへの接続状態と、新着メールがある状態と、録音状態と、録画状態と、録音または録画データの再生動作中に所定時間再生信号が出力されていない状態と、メモリの空き容量が規定量以下になっている状態との少なくとも１つであることが好ましい。
【００２６】
また、所定の動作状態に対する操作は、所定の動作状態がローバッテリ状態であるときには、電源を遮断する操作と、フロントライトを消す操作と、ローバッテリ状態に対する操作可能状態をキャンセルする操作とを含み、所定の動作状態が所定時間のインターネットへの接続状態であるときには、接続を切断する操作と、インターネットへのアクセスを中断させる操作と、所定時間のインターネットへの接続状態に対する操作可能状態をキャンセルする操作とを含み、所定の動作状態が新着メールがある状態であるときには、新着メールを表示部に表示させる操作と、新着メールの一覧を表示部に表示させる操作と、新着メールがある状態に対する操作可能状態をキャンセルする操作とを含み、所定の動作状態が録音状態であるときには、録音の処理を中止させる操作と、録音の処理を一時停止させる操作と、録音状態に対する操作可能状態をキャンセルする操作とを含み、所定の動作状態が録画状態であるときには、録画の処理を中止させる操作と、録画の処理を一時停止させる操作と、録画状態に対する操作可能状態をキャンセルする操作とを含み、所定の動作状態が録音または録画データの再生動作中に所定時間再生信号が出力されていない状態であるときには、再生の処理を中止させる操作と、再生の処理を実行させるためのアプリケーションの実行を終了させる操作と、録音または録画データの再生動作中に所定時間再生信号が出力されていない状態に対する操作可能状態をキャンセルする操作とを含み、所定の動作状態がメモリの空き容量が規定量以下になっている状態であるときには、メモリの状況を表示部に表示させる操作と、当該携帯端末装置を再起動させる操作と、メモリの空き容量が規定量以下になっている状態に対する操作可能状態をキャンセルする操作とを含むことが好ましい。
【００２７】
本発明の他の局面に従うと、携帯端末装置における表示装置の制御方法は、表示装置を内蔵する操作キーを含む携帯端末装置の表示装置の制御方法であって、動作状態の発生を検知する検知ステップと、検知ステップにおいて所定の動作状態の発生が検知された場合に、表示装置の表示方法と所定の動作とが対応付けて記憶されている記憶部を参照し、所定の動作と対応付けられている表示装置の表示方法に基づいて、表示装置に表示を行なわせる制御ステップとを備える。
【００２８】
また、上述の表示方法は、表示装置に対して、所定の動作状態が発生していない状態での表示とは異なる表示をさせるための表示方法であって、制御ステップは、表示装置に所定の動作状態が発生した旨を示す表示を行なわせることが好ましい。
【００２９】
または、上述の表示方法は、所定の動作状態に対する操作に必要な操作キーに内蔵される表示装置に対して、所定の動作状態が発生していない状態での表示とは異なる表示をさせるための表示方法であって、制御ステップは、表示装置に所定の動作状態に対する操作に必要な操作キーを示す表示を行なわせることが好ましい。
【００３０】
本発明のさらに他の局面に従うと、携帯端末装置における表示装置の制御プログラムは、表示装置を内蔵する操作キーを含む携帯端末装置の表示装置の制御をコンピュータに実行させるプログラムであって、動作状態の発生を検知する検知ステップと、検知ステップにおいて所定の動作状態の発生が検知された場合に、表示装置の表示方法と所定の動作とが対応付けて記憶されている記憶部を参照し、所定の動作と対応付けられている表示装置の表示方法に基づいて、表示装置に表示を行なわせる制御ステップとを実行させる。
【００３１】
また、上述の表示方法は、表示装置に対して、所定の動作状態が発生していない状態での表示とは異なる表示をさせるための表示方法であって、制御ステップは、表示装置に所定の動作状態が発生した旨を示す表示を行なわせることが好ましい。
【００３２】
または、上述の表示方法は、所定の動作状態に対する操作に必要な操作キーに内蔵される表示装置に対して、所定の動作状態が発生していない状態での表示とは異なる表示をさせるための表示方法であって、制御ステップは、表示装置に所定の動作状態に対する操作に必要な操作キーを示す表示を行なわせることが好ましい。
【００３３】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００３４】
図１は、本実施の形態における携帯端末装置１の外観の具体例を示す図である。図１を参照して、携帯端末装置１は、データなどを表示する画面表示部（以下、表示部という）２と、操作キーである上下左右操作キー３、ＯＫキー６、およびＣａｎｃｅｌキー７とを含んで構成される。
【００３５】
上下左右操作キー３は、表示部２に表示されているいくつかの項目に対してフォーカスを移動させる操作に用いるキーである。ＯＫキー６は、フォーカスのある項目を選択する操作に用いるキーである。Ｃａｎｃｅｌキー７は、選択操作をキャンセルし、１つ前の画面に戻す操作に用いるキーである。
【００３６】
さらに図１を参照して、本実施の形態における携帯端末装置１は、操作キーに表示装置が内蔵されることを特徴とする。具体的には、携帯端末装置１は、表示装置である赤色ＬＥＤ（Ｌｉｇｈｔ  Ｅｍｉｔｔｉｎｇ  Ｄｉｏｄｅ）４、および青色ＬＥＤ５を上下左右操作キー３の中に内蔵し、また、白色ＬＥＤ１３，１４，１５，１６，１７，１８を各々ＯＫキー６、Ｃａｎｃｅｌキー７、上下左右操作キー３の中に内蔵して配置することを特徴としている。
【００３７】
かかる表示装置は、携帯端末装置１の動作状態などを表示する。具体的には、白色ＬＥＤ１３，１４，１５，１６，１７，１８は点灯することでその白色ＬＥＤを内蔵するキー全体を白く点灯させ、所定の動作状態が発生したことを示す。また、その動作状態に対して、当該キーを用いて操作可能であることを示す。また白色ＬＥＤ１３，１４，１５，１６，１７，１８は点滅することで、その白色ＬＥＤを内蔵するキーが、前回その動作状態が発生したときの操作時に選択されたことを示す。
【００３８】
このように、本発明にかかる携帯端末装置は、操作キーの内部に表示装置を備える構成とすることで、操作時に表示装置を確認して即座に動作状態を把握できることを特徴とする。
【００３９】
図２は、携帯端末装置１の機能構成を示すブロック図である。図２を参照して、携帯端末装置１には、携帯端末装置１全体を制御する制御部８が含まれ、制御部８はＣＰＵ（Ｃｅｎｔｒａｌ  Ｐｒｏｃｅｓｓｉｎｇ  Ｕｎｉｔ）が内蔵されている。制御部８は、メモリ９に保持されるプログラムを読出して実行し、携帯端末装置１全体を制御する。また、携帯端末装置１はバッテリ１０から電源が供給され、制御部８は、バッテリ１０から供給される電圧がしきい値よりも低い状態でありローバッテリになっていないかを検出する回路を内蔵する。
【００４０】
上下左右操作キー３、ＯＫキー６、およびＣａｎｃｅｌキー７から構成される操作キー２０は制御部８に接続され、入力信号を制御部８に出力する。制御部８は、操作キー２０から入力される入力信号情報に基づいて表示部２に表示データを出力し、表示部２にデータを表示する。
【００４１】
メモリ９は、制御部８で実行されるプログラム、および携帯端末装置１のアプリケーションの各データを保持するだけでなく、各動作状態を表示装置であるＬＥＤ４，５，１３，１４，１５，１６，１７，１８で表示するためのパターンデータ（以下、このパターンデータを状態表示パターンという）を、動作状態と対応付けて保持する。また、各動作状態に対する操作に用いる操作キーを、その操作キーに内蔵するＬＥＤで表示してその操作を誘導するためのパターンデータ（以下、このパターンデータを誘導表示パターンという）を、動作状態と対応付けて保持する。さらに、動作状態表示中にその動作状態に対する操作を誘導するために表示部２に表示する誘導画面の画面情報、前回の表示装置の状態表示、表示部２の画面状態、および操作した操作キー２０の情報も、動作状態と対応付けて保持する。誘導画面は、操作可能なキーとして白色ＬＥＤを点灯する際に表示部２に表示される。また、前回の状態表示、画面状態、および操作した操作キー２０の情報は、前回操作したキーを点滅するために必要な学習機能に用いられる。
【００４２】
動作状態を表示する表示装置として上下左右操作キー３に内蔵される赤色ＬＥＤ４，青色ＬＥＤ５、およびＯＫキー６，Ｃａｎｃｅｌキー７に内蔵される白色ＬＥＤ１３，１４，１５，１６，１７，１８は制御部８に接続される。制御部８は、表示するパターンデータをメモリ９から読出して必要な表示装置に出力し、表示装置に動作状態を表示する。
【００４３】
通信制御部１１は、携帯端末装置１に内蔵されるモデム（図示せず）を制御し、電話回線に接続してインターネットに接続し所定の記憶装置にアクセスする。
【００４４】
携帯端末装置１が図示しないマイクを備える場合、音楽動画録音録画再生制御部（以下、録音録画再生制御部と省略する）１２は、マイクから入力される音声データを録音しメモリ９などの記憶装置に保存する録音処理を制御する。そのため、携帯端末装置１を用いて音声や音楽を録音することができる。また、携帯端末装置１が図示しないスピーカを備える場合、録音録画再生制御部１２は、記憶装置に保存された音声データをスピーカで再生する処理を制御する。そのため、携帯端末装置１を用いて録音された音楽データを再生し聞くことができる。
【００４５】
また、携帯端末装置１が図示しないカメラを備える場合、録音録画再生制御部１２は、カメラから入力される画像データを録画しメモリ９などの記憶装置に保存する録画処理を制御する。また、録音録画再生制御部１２は、記憶装置に保存された画像データを表示部２で再生する処理を制御する。そのため、携帯端末装置１を用いて画像データの録画および再生ができる。
【００４６】
なお、ここでの画像データは、静止画のデータも動画のデータも含むものとする。さらに録音録画再生制御部１２は、上述の録音処理と録画処理とを同時に制御し、上述の音声データの再生処理と画像データの再生処理とを同時に制御してもよい。
【００４７】
通信制御部１１と録音録画再生制御部１２とは、各々制御部８に接続され、制御部８はメモリ９に保持されるプログラムを実行して必要に応じて通信制御部１１および／または録音録画再生制御部１２に制御信号を出力し、制御する。
【００４８】
本実施の形態における携帯端末装置１がこのように構成されることで、ブラウザやメールのアプリケーション実行時にインターネットに接続してデータのやり取りを行なうことができる。また、携帯端末装置１は、メディアプレイヤを実現するアプリケーション実行時に、音声や音楽の録音、音声や音楽の再生、動画の録画、および動画の再生を行なうことができる。
【００４９】
本実施の形態の携帯端末装置１において、操作キー２０に内蔵されている表示装置であるＬＥＤ４，５，１３，１４，１５，１６，１７，１８を用いて動作状態を表示する処理を、図３〜図８のフローチャートと、図９〜図２０に示される誘導画面の具体例を用いて説明する。図３〜図８のフローチャートに示される処理は、携帯端末装置１の制御部８がメモリ９に保持されているプログラムを読出して実行することによって実現される。
【００５０】
携帯端末装置１の制御部８は、表示装置の状態表示パターンの変更を行なう必要があるイベントが発生していないか、常に監視している。始めに、図３を参照して、ステップＳ１において制御部８は、バッテリ１０から供給されている電源の電圧を所定のしきい値と比較して、正常かローバッテリであるかを判定する。
【００５１】
電源電圧がしきい値より高い場合は（Ｓ１でＮＯ）バッテリ１０からの電源の供給が正常であり状態表示パターンを変更する必要が無いため、処理を図４に示すステップＳ２へ移行する。
【００５２】
一方、電源電圧がしきい値より低い場合は（Ｓ１でＹＥＳ）ローバッテリ状態であるため、処理をステップＳ７へ移行する。ステップＳ７で制御部８は、メモリ９から、ローバッテリ状態という動作状態と対応付けられて保持されている状態表示パターンを読出し、表示装置であるＬＥＤ４，５に出力してＬＥＤ４，５にローバッテリ状態を表示するよう制御信号を出力する。さらに、その際、その動作状態を示す表示画面を表示部２に出力することも好ましい。
【００５３】
ここでの状態表示パターンは、表示装置であるＬＥＤ４，５に、その状態が生じていない通常状態とは異なる表示をさせるための表示方法であって、たとえば、所定のＬＥＤのみを点灯する表示方法、所定の点滅のスピード（点滅のスピードを速くする、あるいは遅くする）でＬＥＤ４，５を点滅させる方法、またはそれらの組合せである表示方法などが具体的に挙げられる。ステップＳ７において制御部８が上述のような状態表示パターンをメモリ９から読出してその状態表示パターンに基づいて表示装置の制御を行なうことで、ＬＥＤ４，５が各々異なる色であるために、ローバッテリ状態が所定の色（赤あるいは青）で表示される。
また、ＬＥＤ４，５が同色である場合には、所定の位置のＬＥＤが点灯することで表示される。また、所定の点滅のスピードで表示される。そのため、ユーザは即座に携帯端末装置１がローバッテリであることを認知することができ、迅速に充電するようユーザを促すことができる。
【００５４】
次に、処理をステップＳ１６へ移行し、ステップＳ１６で制御部８はメモリ９を参照して過去にローバッテリ時の処理を行なったことがあるかを調べる。もし、今回の処理が初回である場合は（Ｓ１６でＹＥＳ）処理をステップＳ２２へ移行し、そうでなければ（Ｓ１６でＮＯ）処理をステップＳ２３へ移行する。
【００５５】
ステップＳ２２で制御部８は、今回の処理が初回の処理であるため、図９に具体例が示される電源切断誘導画面を表示部２に表示し、携帯端末装置１の電源を切るよう促がす。さらに、メモリ９から、ローバッテリ状態という動作状態と対応付けられて保持されている誘導表示パターンを読出して表示装置であるＬＥＤ１３，１４，１８に出力し、ＯＫキー６のＬＥＤ１３、Ｃａｎｃｅｌキー７のＬＥＤ１４、および該当する画面切替えを行なう右操作キー３のＬＥＤ１８を点灯する。ここでの誘導表示パターンは、発生した状態に対する操作に用いることのできる操作キー（ＯＫキー６，Ｃａｎｃｅｌキー７，右操作キー３）を示すための表示を当該操作キーに内蔵されるＬＥＤ１３，ＬＥＤ１４，ＬＥＤ１８にさせるための表示方法であって、その操作を行なう必要のない通常状態とは異なる表示をさせるための表示方法である。
【００５６】
一方、ステップＳ２３では制御部８は学習機能を発揮する。具体的には、まずメモリ９から前回の操作に用いた最終の誘導画面の情報を読出して表示部２に出力し、その画面を表示する。また、前回操作したキーも読出して表示装置に出力し、そのキーに内蔵されるＬＥＤを点滅して前回操作したことを提示する。なお、ここでは具体的に前回操作したキーを表示装置において点滅して提示するものしたが、表示装置での表示方法は点滅に限定するものではなく、その操作を行なう必要のない通常状態とは異なる表示をさせるための表示方法であれば他の表示方法であってもよい。
【００５７】
そして、ステップＳ２２またはステップＳ２３の処理後、制御部８はステップＳ３４，Ｓ３５，Ｓ３６をループしてＯＫキー６、Ｃａｎｃｅｌキー７、および表示画面を切替えるための左右操作キー３が押下されるか監視する。
【００５８】
ステップＳ３４においてＯＫキー６が押下されたことを検出すると（Ｓ３４でＹＥＳ）、制御部８は処理をステップＳ５３へ移行する。ステップＳ５３で制御部８は、次回のローバッテリ時の処理において学習機能を発揮させるために、表示装置の動作状態、表示部２に表示されている最終の画面、およびユーザに操作された操作キー２０をメモリ９の所定領域に記憶する。また、現在表示部２に表示される画面が図９に具体例が示される電源切断誘導画面ならば、電源を切る処理を実施する。また、現在表示部２に表示されている画面が図１０に具体例が示されるフロントライト消灯誘導画面ならば、図示しないフロントライトを消灯する処理を実施する。そして、ステップＳ５３の処理を終了して、処理を始めに戻す。
【００５９】
また、ステップＳ３５においてＣａｎｃｅｌキー７が押下されたことを検出すると（Ｓ３５でＹＥＳ）、制御部８は処理をステップＳ５４へ移行する。ステップＳ５４で制御部８は、状表示装置の動作状態、表示部２に表示されている最終の画面、およびユーザに操作された操作キー２０をメモリ９の所定領域に記憶する。その後、表示部２に表示されている画面を元の画面へ戻して、処理を始めに戻す。
【００６０】
また、ステップＳ３６において左右操作キー３が押下されたことを検出すると（Ｓ３６でＹＥＳ）、制御部８は処理をステップＳ５５へ移行し、ステップＳ５５において、表示部２に画面が図９に具体例が示される電源切断誘導画面が表示される状態で右操作キーが押下されたならば、図１０に具体例が示されるフロントライト消灯誘導画面に切替える処理を行なう。また、図１０に具体例が示されるフロントライト消灯誘導画面が表示される状態で左操作キーが押下されたならば、図９に具体例が示される電源切断誘導画面に切替える処理を行なう。その後、処理をステップＳ３４に戻し、ＯＫキー６、Ｃａｎｃｅｌキー７、および左右操作キー３が押下されるか監視を継続する。
【００６１】
制御部８がステップＳ２２，Ｓ２３に示す表示装置の制御と、ステップＳ２２，Ｓ５３〜Ｓ５５に示す表示部２の制御とを行なうことで、表示装置において操作に用いる操作キー２０のＬＥＤを点灯／点滅して提示し、表示部２において誘導画面を表示して、ユーザの適切な操作を誘導することができる。具体的には、電源を切断する操作、フロントライトを消灯する操作、またはその操作可能状態をキャンセルする操作を誘導することができる。
【００６２】
以上がステップＳ１でローバッテリ状態と判定された場合の処理である。次に、ステップＳ１でバッテリ１０からの電源の供給が正常であると判定された場合（Ｓ１でＮＯ）の処理について図４のフローチャートを用いて説明する。
【００６３】
図４を参照して、ステップＳ２において制御部８は、通信制御部１１がインターネットに接続状態にあるのかを判定する。
【００６４】
通信制御部１１がインターネットに接続中でない場合には（Ｓ２でＮＯ）、状態表示パターンを変更する必要が無いため、処理を図５に示すステップＳ３へ移行する。
【００６５】
一方、通信制御部１１がインターネットに接続中であれば（Ｓ２でＹＥＳ）、処理をステップＳ８へ移行する。ステップＳ８で制御部８は、メモリ９からインターネットに接続中であることを示す状態表示パターンを読出し、表示装置であるＬＥＤ４，５に出力してＬＥＤ４，５にインターネットに接続中を表示するよう制御信号を出力する。制御部８がステップＳ８に示す表示装置の制御を行なうことで、ＬＥＤ４，５においてインターネットに接続中であることが表示されて、ユーザは、インターネットに接続中であるにも関わらず切断を忘れることを防止することができる。
【００６６】
さらに、処理をステップＳ１４に移行して、制御部８は通信制御部１１において所定時間データ通信が行われているかを判定し、データ通信が行なわれているようであれば（Ｓ１４でＮＯ）、処理を最初に戻す。また、通信制御部１１において所定時間長時間データ通信が行なわれていないならば（Ｓ１４でＹＥＳ）、ユーザがインターネット接続の切断を忘れているものと判断して、処理をステップＳ１７に移行する。
【００６７】
次に、ステップＳ１７で制御部８はメモリ９を参照して過去にインターネット接続の切断を忘れている時の処理を行なったことがあるかを調べる。もし、今回の処理が初回である場合は（Ｓ１７でＹＥＳ）処理をステップＳ２４へ移行し、そうでなければ（Ｓ１７でＮＯ）処理をステップＳ２５へ移行する。
【００６８】
ステップＳ２４で制御部８は、今回の処理が初回の処理であるため、図１１に具体例が示されるインターネット接続切断誘導画面を表示部２に表示し、インターネット接続の切断するよう促す。さらに、メモリ９から誘導表示パターンを読出して表示装置に出力し、ＯＫキー６のＬＥＤ１３、Ｃａｎｃｅｌキー７のＬＥＤ１４、および該当する画面切替えを行なう右操作キー３のＬＥＤ１８を点灯する。
【００６９】
一方、ステップＳ２５では上述のステップＳ２３と同様に制御部８は学習機能を発揮する。ここでの処理は上述の処理と同様であるため、説明を繰返さない。
【００７０】
そして、ステップＳ２４またはステップＳ２５の処理後、制御部８はステップＳ３７，Ｓ３８，Ｓ３９，Ｓ４０をループしてＯＫキー６、Ｃａｎｃｅｌキー７、および表示画面を切替えるための左右操作キー３が押下されるか監視する。
【００７１】
ステップＳ３７においてＯＫキー６が押下されたことを検出すると（Ｓ３７でＹＥＳ）、制御部８は処理をステップＳ５６へ移行する。ステップＳ５６で制御部８は、次回のインターネット接続時の処理において学習機能を発揮させるために、表示装置の動作状態、表示部２に表示されている最終の画面、およびユーザに操作された操作キー２０をメモリ９の所定領域に記憶する。また、現在表示部２に表示される画面が図１１に具体例が示されるインターネット接続切断誘導画面ならば、通信制御部１１に制御信号を出力し、インターネット接続を切断する処理を実施する。また、現在表示部２に表示されている画面が図１２に具体例が示されるインターネットアクセス中止誘導画面ならば、通信制御部１１に制御信号を出力し、インターネットを介して所定のアドレスへのアクセスを中止する処理を実施する。そして、ステップＳ５６の処理を終了して、処理を始めに戻す。
【００７２】
また、ステップＳ３８においてＣａｎｃｅｌキー７が押下されたことを検出すると（Ｓ３８でＹＥＳ）、制御部８は処理をステップＳ５７へ移行する。ステップＳ５７で制御部８は、上述のステップＳ５４と同様の処理を実行する。
【００７３】
また、ステップＳ３９において左右操作キー３が押下されたことを検出すると（Ｓ３９でＹＥＳ）、制御部８は処理をステップＳ５８へ移行し、ステップＳ５８において、表示部２に画面が図１１に具体例が示されるインターネット接続切断誘導画面が表示される状態で右操作キーが押下されたならば、図１２に具体例が示されるインターネットアクセス中止誘導画面に切替える処理を行なう。また、図１２に具体例が示されるインターネットアクセス中止誘導画面が表示される状態で左操作キーが押下されたならば、図１１に具体例が示されるインターネット接続切断誘導画面に切替える処理を行なう。
【００７４】
さらに、ステップＳ４０において、制御部８は所定時間いずれの操作キー２０も押下されないことを検出すると（Ｓ４０でＹＥＳ）、制御部８は処理をステップＳ５９に移行して、ステップＳ５９において通信制御部１１へ制御信号を出力して強制的に接続を切断し、処理を最初に戻す。また、いずれかの操作キー２０が押下された場合には、処理をステップＳ３７に戻し、ステップＳ３７からＳ３９のいずれかで検出して以降の処理を実行する。
【００７５】
制御部８がステップＳ２４，Ｓ２５に示す表示装置の制御と、ステップＳ２４，Ｓ５６〜Ｓ５８に示す表示部２の制御とを行なうことで、表示装置において操作に用いる操作キー２０のＬＥＤを点灯／点滅して提示し、表示部２において誘導画面を表示して、ユーザの適切な操作を誘導することができる。具体的には、インターネット接続を切断する操作、インターネットを介して所定のアドレスへのアクセスを中止する操作、またはその操作可能状態をキャンセルする操作を誘導することができる。その結果、インターネット接続の切忘れ防止の効果を向上させることができる。
【００７６】
以上がステップＳ２でインターネット接続中と判定された場合の処理である。次に、ステップＳ２でインターネット接続中ではないと判定された場合（Ｓ２でＮＯ）の処理について図５のフローチャートを用いて説明する。
【００７７】
図５を参照して、ステップＳ３において制御部８は、メモリ９を参照し、保存されている新着メールデータが１件以上あるか否かを判定する。
【００７８】
新着メールがメモリ９に１件も保存されていない場合には（Ｓ３でＮＯ）、状態表示パターンを変更する必要が無いため、処理を図６に示すステップＳ４へ移行する。
【００７９】
一方、新着メールが１件以上メモリ９に保存されている場合（Ｓ３でＹＥＳ）、処理をステップＳ９へ移行する。ステップＳ９で制御部８は、メモリ９から新着メールがあることを示す状態表示パターンを読出し、表示装置であるＬＥＤ４，５に出力してＬＥＤ４，５に新着メールあり状態を表示するよう制御信号を出力する。制御部８がステップＳ９に示す表示装置の制御を行なうことで、ＬＥＤ４，５において新着メールがあることが表示されて、ユーザは、新着メールがある場合、即座にそのことを認識でき、新着メールを表示する、または新着メール一覧表示することができる。
【００８０】
次に、処理をステップＳ１８へ移行し、ステップＳ１８で制御部８はメモリ９を参照して過去に新着メールがある時の処理を行なったことがあるかを調べる。
もし、今回の処理が初回である場合は（Ｓ１８でＹＥＳ）処理をステップＳ２６へ移行し、そうでなければ（Ｓ１８でＮＯ）処理をステップＳ２７へ移行する。
【００８１】
ステップＳ２６で制御部８は、今回の処理が初回の処理であるため、図１３に具体例が示される新着メール開封誘導画面を表示部２に表示し、新着メールの表示を促がす。さらに、メモリ９から誘導表示パターンを読出して表示装置に出力し、ＯＫキー６のＬＥＤ１３、Ｃａｎｃｅｌキー７のＬＥＤ１４、および該当する画面切替えを行なう右操作キー３のＬＥＤ１８を点灯する。
【００８２】
一方、ステップＳ２７では上述のステップＳ２３と同様に制御部８は学習機能を発揮する。ここでの処理は上述の処理と同様であるため、説明を繰返さない。
【００８３】
そして、ステップＳ２６またはステップＳ２７の処理後、制御部８はステップＳ４１，Ｓ４２，Ｓ４３をループしてＯＫキー６、Ｃａｎｃｅｌキー７、および表示画面を切替えるための左右操作キー３が押下されるか監視する。
【００８４】
ステップＳ４１においてＯＫキー６が押下されたことを検出すると（Ｓ４１でＹＥＳ）、制御部８は処理をステップＳ６０へ移行する。ステップＳ６０で制御部８は、次回の新着メールがある時の処理において学習機能を発揮させるために、表示装置の動作状態、表示部２に表示されている最終の画面、およびユーザに操作された操作キー２０をメモリ９の所定領域に記憶する。また、現在表示部２に表示される画面が図１３に具体例が示される新着メール開封誘導画面ならば、該当するメールデータをメモリ９から読出して表示部２に出力し、メールを開封する処理を実施する。また、現在表示部２に表示されている画面が図１４に具体例が示される新着メール一覧表示誘導画面ならば、該当するメールデータをメモリ９から読出して一覧表示用のデータを生成して表示部２に出力し、新着メールの一覧を表示する処理を実施する。そして、ステップＳ６０の処理を終了して、処理を始めに戻す。
【００８５】
また、ステップＳ４２においてＣａｎｃｅｌキー７が押下されたことを検出すると（Ｓ４２でＹＥＳ）、制御部８は処理をステップＳ６１へ移行する。ステップＳ６１で制御部８は、上述のステップＳ５４と同様の処理を実行する。
【００８６】
また、ステップＳ４３において左右操作キー３が押下されたことを検出すると（Ｓ４３でＹＥＳ）、制御部８は処理をステップＳ６２へ移行し、ステップＳ６２において、表示部２に画面が図１３に具体例が示される新着メール開封誘導画面が表示される状態で右操作キーが押下されたならば、図１４に具体例が示される新着メール一覧表示誘導画面に切替える処理を行なう。また、図１４に具体例が示される新着メール一覧表示誘導画面が表示される状態で左操作キーが押下されたならば、図１３に具体例が示される新着メール開封誘導画面に切替える処理を行なう。その後、処理をステップＳ４１に戻し、ＯＫキー６、Ｃａｎｃｅｌキー７、および左右操作キー３が押下されるか監視を継続する。
【００８７】
制御部８がステップＳ２６，Ｓ２７に示す表示装置の制御と、ステップＳ２６，Ｓ６０〜Ｓ６２に示す表示部２の制御とを行なうことで、表示装置において操作に用いる操作キー２０のＬＥＤを点灯／点滅して提示し、表示部２において誘導画面を表示して、新着メールを表示する処理操作、新着メール一覧表示する処理操作、またはその操作可能状態をキャンセルする操作を誘導することができる。
【００８８】
以上がステップＳ３で新着メールがあると判定された場合の処理である。次に、ステップＳ３で新着メールがないと判定された場合（Ｓ３でＮＯ）の処理について図６のフローチャートを用いて説明する。
【００８９】
図６を参照して、ステップＳ４において制御部８は、録音録画再生制御部１２が録音処理または／および録画処理を制御中であるか否かを判定する。
【００９０】
録音録画再生制御部１２が録音処理または／および録画処理を制御中でない場合には（Ｓ４でＮＯ）、状態表示パターンを変更する必要が無いため、処理を図７に示すステップＳ５へ移行する。
【００９１】
一方、録音録画再生制御部１２が録音処理または／および録画処理を制御中であれば（Ｓ４でＹＥＳ）、処理をステップＳ１０へ移行する。ステップＳ１０で制御部８は、メモリ９から録音・録画処理中であることを示す状態表示パターンを読出し、表示装置であるＬＥＤ４，５に出力してＬＥＤ４，５に録音・録画処理中状態を表示するよう制御信号を出力する。制御部８がステップＳ１０に示す表示装置の制御を行なうことで、ＬＥＤ４，５において録音・録画処理中であることが表示されて、ユーザは、録音・録画処理中であるにも関わらず終了を忘れることを防止することができる。
【００９２】
次に、処理をステップＳ１９へ移行し、ステップＳ１９で制御部８はメモリ９を参照して過去に録音・録画処理中の処理を行なったことがあるかを調べる。もし、今回の処理が初回である場合は（Ｓ１９でＹＥＳ）処理をステップＳ２８へ移行し、そうでなければ（Ｓ１９でＮＯ）処理をステップＳ２９へ移行する。
【００９３】
ステップＳ２８で制御部８は、今回の処理が初回の処理であるため、図１５に具体例が示される録音録画中止誘導画面を表示部２に表示し、録音録画処理の中止処理を誘導する。さらに、メモリ９から誘導表示パターンを読出して表示装置に出力し、ＯＫキー６のＬＥＤ１３、Ｃａｎｃｅｌキー７のＬＥＤ１４、および該当する画面切替えを行なう右操作キー３のＬＥＤ１８を点灯する。
【００９４】
一方、ステップＳ２９では上述のステップＳ２３と同様に制御部８は学習機能を発揮する。ここでの処理は上述の処理と同様であるため、説明を繰返さない。
【００９５】
そして、ステップＳ２８またはステップＳ２９の処理後、制御部８はステップＳ４４，Ｓ４５，Ｓ４６をループしてＯＫキー６、Ｃａｎｃｅｌキー７、および表示画面を切替えるための左右操作キー３が押下されるか監視する。
【００９６】
ステップＳ４４においてＯＫキー６が押下されたことを検出すると（Ｓ４４でＹＥＳ）、制御部８は処理をステップＳ６３へ移行する。ステップＳ６３で制御部８は、次回の録音・録画処理中である時の処理において学習機能を発揮させるために、表示装置の動作状態、表示部２に表示されている最終の画面、およびユーザに操作された操作キー２０をメモリ９の所定領域に記憶する。また、現在表示部２に表示される画面が図１５に具体例が示される録音録画中止誘導画面ならば、制御部８は録音録画再生制御部１２に制御信号を出力し、録音・録画処理を中止する処理を実施する。また、現在表示部２に表示されている画面が図１６に具体例が示される録音録画中止誘導画面ならば、制御部８は録音録画再生制御部１２に制御信号を出力し、録音・録画処理を一時停止する処理を実施する。そして、ステップＳ６３の処理を終了して、処理を始めに戻す。
【００９７】
また、ステップＳ４５においてＣａｎｃｅｌキー７が押下されたことを検出すると（Ｓ４５でＹＥＳ）、制御部８は処理をステップＳ６４へ移行する。ステップＳ６４で制御部８は、上述のステップＳ５４と同様の処理を実行する。
【００９８】
また、ステップＳ４６において左右操作キー３が押下されたことを検出すると（Ｓ４６でＹＥＳ）、制御部８は処理をステップＳ６５へ移行し、ステップＳ６５において、表示部２に画面が図１５に具体例が示される録音録画中止誘導画面が表示される状態で右操作キーが押下されたならば、図１６に具体例が示される録音録画中止誘導画面に切替える処理を行なう。また、図１６に具体例が示される録音録画中止誘導画面が表示される状態で左操作キーが押下されたならば、図１５に具体例が示される録音録画中止誘導画面に切替える処理を行なう。その後、処理をステップＳ４４に戻し、ＯＫキー６、Ｃａｎｃｅｌキー７、および左右操作キー３が押下されるか監視を継続する。
【００９９】
制御部８がステップＳ２８，Ｓ２９に示す表示装置の制御と、ステップＳ２８，Ｓ６３〜Ｓ６５に示す表示部２の制御とを行なうことで、表示装置において操作に用いる操作キー２０のＬＥＤを点灯／点滅して提示し、表示部２において誘導画面を表示して、録音・録画処理の中止、一時中止の処理操作、またはその操作可能状態をキャンセルする操作を誘導することができる。
【０１００】
以上がステップＳ４で録音・録画中であると判定された場合の処理である。次に、ステップＳ４で録音・録画中ではないと判定された場合（Ｓ４でＮＯ）の処理について図７のフローチャートを用いて説明する。
【０１０１】
図７を参照して、ステップＳ５において制御部８は、録音録画再生制御部１２が音楽データの再生処理または／および画像データの再生処理を制御中であるか否かを判定する。
【０１０２】
録音録画再生制御部１２が再生処理を制御中でない場合には（Ｓ５でＮＯ）、状態表示パターンを変更する必要が無いため、処理を図８に示すステップＳ６へ移行する。
【０１０３】
一方、録音録画再生制御部１２が再生処理を制御中であれば（Ｓ５でＹＥＳ）、処理をステップＳ１１へ移行する。ステップＳ１０で制御部８は、メモリ９から再生中であることを示す状態表示パターンを読出し、表示装置であるＬＥＤ４，５に出力してＬＥＤ４，５に録音・録画処理中状態を表示するよう制御信号を出力する。なお、ここでの動作状態の表示は、ユーザの嗜好に合った特殊な状態表示パターンによりイメージ効果アップを図ることが好ましい。制御部８がステップＳ１１に示す表示装置の制御を行なうことで、ＬＥＤ４，５において再生処理中であるにも関わらず終了を忘れることを防止することができる。
【０１０４】
さらに、処理をステップＳ１５に移行して、制御部８は録音録画再生制御部１２からスピーカなどの再生装置に対して所定時間再生信号が出力されているかを判定し、再生信号が出力されているようであれば（Ｓ１５でＮＯ）、処理を最初に戻す。また、録音録画再生制御部１２から所定時間長時間再生信号が出力されていないならば（Ｓ１５でＹＥＳ）、ユーザが再生処理の終了操作を忘れてデータが最終に到達しているものと判断して、処理をステップＳ２０に移行する。
【０１０５】
次に、ステップＳ２０で制御部８はメモリ９を参照して過去に再生処理の終了操作を忘れている時の処理を行なったことがあるかを調べる。もし、今回の処理が初回である場合は（Ｓ２０でＹＥＳ）処理をステップＳ３０へ移行し、そうでなければ（Ｓ２０でＮＯ）処理をステップＳ３１へ移行する。
【０１０６】
ステップＳ３０で制御部８は、今回の処理が初回の処理であるため、図１７に具体例が示される再生中止誘導画面を表示部２に表示し、再生を終了するよう促す。さらに、メモリ９から誘導表示パターンを読出して表示装置に出力し、ＯＫキー６のＬＥＤ１３、Ｃａｎｃｅｌキー７のＬＥＤ１４、および該当する画面切替えを行なう右操作キー３のＬＥＤ１８を点灯する。
【０１０７】
一方、ステップＳ３１では上述のステップＳ２３と同様に制御部８は学習機能を発揮する。ここでの処理は上述の処理と同様であるため、説明を繰返さない。
【０１０８】
そして、ステップＳ３０またはステップＳ３１の処理後、制御部８はステップＳ４７，Ｓ４８，Ｓ４９をループしてＯＫキー６、Ｃａｎｃｅｌキー７、および表示画面を切替えるための左右操作キー３が押下されるか監視する。
【０１０９】
ステップＳ４７においてＯＫキー６が押下されたことを検出すると（Ｓ４７でＹＥＳ）、制御部８は処理をステップＳ６６へ移行する。ステップＳ６６で制御部８は、次回の再生中である時の処理において学習機能を発揮させるために、表示装置の動作状態、表示部２に表示されている最終の画面、およびユーザに操作された操作キー２０をメモリ９の所定領域に記憶する。また、現在表示部２に表示される画面が図１７に具体例が示される再生中止誘導画面ならば、制御部８は録音録画再生制御部１２に制御信号を出力し、再生処理を中止する処理を実施する。また、現在表示部２に表示されている画面が図１８に具体例が示されるアプリケーション終了誘導画面ならば、制御部８は録音録画再生制御部１２に制御信号を出力し、再生処理を実現しているアプリケーションを終了する処理を実施する。そして、ステップＳ６６の処理を終了して、処理を始めに戻す。
【０１１０】
また、ステップＳ４８においてＣａｎｃｅｌキー７が押下されたことを検出すると（Ｓ４８でＹＥＳ）、制御部８は処理をステップＳ６７へ移行する。ステップＳ６７で制御部８は、上述のステップＳ５４と同様の処理を実行する。
【０１１１】
また、ステップＳ４９において左右操作キー３が押下されたことを検出すると（Ｓ４９でＹＥＳ）、制御部８は処理をステップＳ６８へ移行し、ステップＳ６８において、表示部２に画面が図１７に具体例が示される再生中止誘導画面が表示される状態で右操作キーが押下されたならば、図１８に具体例が示されるアプリケーション終了誘導画面に切替える処理を行なう。また、図１８に具体例が示されるアプリケーション終了誘導画面が表示される状態で左操作キーが押下されたならば、図１７に具体例が示される再生中止誘導画面に切替える処理を行なう。その後、処理をステップＳ４７に戻し、ＯＫキー６、Ｃａｎｃｅｌキー７、および左右操作キー３が押下されるか監視を継続する。
【０１１２】
制御部８がステップＳ３０，Ｓ３１に示す表示装置の制御と、ステップＳ３０，Ｓ６６〜Ｓ６８に示す表示部２の制御とを行なうことで、表示装置において操作に用いる操作キー２０のＬＥＤを点灯／点滅して提示し、表示部２において誘導画面を表示して、音声データや画像データが最終に到達し出力信号が長時間出力されていない場合に、再生を中止させる操作、再生用のアプリケーションを終了させる操作、またはその操作可能状態をキャンセルする操作を誘導することができる。
【０１１３】
以上がステップＳ５で再生中であると判定された場合の処理である。次に、ステップＳ５で再生中ではないと判定された場合（Ｓ５でＮＯ）の処理について図８のフローチャートを用いて説明する。
【０１１４】
図８を参照して、ステップＳ６において制御部８は、メモリ９の空き容量としきい値とを比較して、メモリ９の空き容量が少ない状態となっているか否かを判定する。
【０１１５】
メモリ９の空き容量がしきい値より高い場合には（Ｓ６でＮＯ）、処理をステップＳ１３に移行する。ステップＳ１３で制御部８は、メモリ９からバッテリが正常状態であることを示す状態表示パターンを読出し、表示装置であるＬＥＤ４，５に出力してＬＥＤ４，５にバッテリ状態を表示するよう制御信号を出力する。この表示状態は特にイベントがなく通常の状態であることを示している。そして処理を最初に戻す。
【０１１６】
一方、メモリ９の空き容量がしきい値より低い場合は（Ｓ６でＹＥＳ）、メモリ容量が少ない状態となっているため、処理をステップＳ１２へ移行する。ステップＳ１２で制御部８は、メモリ９からメモリ容量が少ない状態であることを示す状態表示パターンを読出し、表示装置であるＬＥＤ４，５に出力してＬＥＤ４，５にメモリ容量が少ない状態を表示するよう制御信号を出力する。制御部８がステップＳ１２に示す表示装置の制御を行なうことで、ＬＥＤ４，５においてメモリ状況が表示されて、ユーザは即座に携帯端末装置１のメモリ容量が少ない状態であることを認知することができ、対応することができる。
【０１１７】
次に、処理をステップＳ２１へ移行し、ステップＳ２１で制御部８はメモリ９を参照して過去にメモリの空き容量が少ない時の処理を行なったことがあるかを調べる。もし、今回の処理が初回である場合は（Ｓ２１でＹＥＳ）処理をステップＳ３２へ移行し、そうでなければ（Ｓ２１でＮＯ）処理をステップＳ３３へ移行する。
【０１１８】
ステップＳ３２で制御部８は、今回の処理が初回の処理であるため、図１９に具体例が示されるメモリ状況表示誘導画面を表示部２に表示する。さらに、メモリ９から誘導表示パターンを読出して表示装置に出力し、ＯＫキー６のＬＥＤ１３、Ｃａｎｃｅｌキー７のＬＥＤ１４、および該当する画面切替えを行なう右操作キー３のＬＥＤ１８を点灯する。
【０１１９】
一方、ステップＳ３３では上述のステップＳ２３と同様に制御部８は学習機能を発揮する。ここでの処理は上述の処理と同様であるため、説明を繰返さない。
【０１２０】
そして、ステップＳ３２またはステップＳ３３の処理後、制御部８はステップＳ５０，Ｓ５１，Ｓ５２をループしてＯＫキー６、Ｃａｎｃｅｌキー７、および表示画面を切替えるための左右操作キー３が押下されるか監視する。
【０１２１】
ステップＳ５０においてＯＫキー６が押下されたことを検出すると（Ｓ５０でＹＥＳ）、制御部８は処理をステップＳ６９へ移行する。ステップＳ６９で制御部８は、次回のメモリの空き容量が少ない時の処理において学習機能を発揮させるために、表示装置の動作状態、表示部２に表示されている最終の画面、およびユーザに操作された操作キー２０をメモリ９の所定領域に記憶する。また、現在表示部２に表示される画面が図１９に具体例が示されるメモリ状況表示誘導画面ならば、メモリ９の空き容量に基づいてメモリ状況を示す画面を生成して表示部２に出力し、メモリ状況を表示する処理を実施する。また、現在表示部２に表示されている画面が図２０に具体例が示されるシステム再起動誘導画面ならば、携帯端末装置１を再起動する処理を実施する。そして、ステップＳ６９の処理を終了して、処理を始めに戻す。
【０１２２】
また、ステップＳ５１においてＣａｎｃｅｌキー７が押下されたことを検出すると（Ｓ５１でＹＥＳ）、制御部８は処理をステップＳ７０へ移行する。ステップＳ７０で制御部８は、上述のステップＳ５４と同様の処理を実行する。
【０１２３】
また、ステップＳ５２において左右操作キー３が押下されたことを検出すると（Ｓ５２でＹＥＳ）、制御部８は処理をステップＳ７１へ移行し、ステップＳ７１において、表示部２に画面が図１９に具体例が示されるメモリ状況表示誘導画面が表示される状態で右操作キーが押下されたならば、図２０に具体例が示されるシステム再起動誘導画面に切替える処理を行なう。また、図２０に具体例が示されるシステム再起動誘導画面が表示される状態で左操作キーが押下されたならば、図１９に具体例が示されるメモリ状況表示誘導画面に切替える処理を行なう。その後、処理をステップＳ５０に戻し、ＯＫキー６、Ｃａｎｃｅｌキー７、および左右操作キー３が押下されるか監視を継続する。
【０１２４】
制御部８がステップＳ３２，Ｓ３３に示す表示装置の制御と、ステップＳ３２，Ｓ６９〜Ｓ７１に示す表示部２の制御とを行なうことで、表示装置において操作に用いる操作キー２０のＬＥＤを点灯／点滅して提示し、表示部２において誘導画面を表示して、メモリ状況を表示する処理操作、携帯端末装置１を再起動する処理操作、またはその操作可能状態をキャンセルする操作を誘導することができる。
【０１２５】
以上が携帯端末装置１の制御部８で実行されるすべての処理であって、これらすべての処理が完了すれば処理を最初に戻し、ループ処理を行なう。
【０１２６】
本発明にかかる携帯端末装置が図１および図２に示される構成であって、上述の処理を実行することで、ユーザは操作キーを操作しながら携帯端末の動作状態を状態表示パターンに基づいた表示装置における表示方法により容易に判別することが可能となる。具体的には、表示装置の色や点灯している表示装置の位置や表示装置の点滅スピードにより視覚的に判別することができる。
【０１２７】
さらに、本発明にかかる携帯端末装置は、動作状態を表示している状態において、誘導画面の表示、操作可能な操作キーに内蔵される表示装置の点灯あるいは点滅など通常状態と異なる表示を実行し、その状態を改善する処理やその処理を中止するなどの選択肢をわかり易く提示する。このため、本発明にかかる携帯端末装置は、ユーザを、簡単に選択できるようアシストすることができる。また、本発明にかかる携帯端末装置は、学習機能を発揮して、以前発生した状況と同様の状況が発生した場合は、状態表示中に前回ユーザが操作した操作キーを点滅させるなどして通常状態と異なる表示を行なって提示し、ユーザの操作を誘導する。このため、ユーザは躊躇せずに最短で前回と同様の操作を選択することが可能である。
【０１２８】
また、本発明にかかる携帯端末装置が図３に示される処理を実行することで、ユーザは、表示色で視覚的にバッテリが正常なのかローバッテリ状態であるのかを把握することができる。さらにその際、本発明にかかる携帯端末装置が操作可能な操作キーに内蔵されている表示装置を点灯し誘導するので、ユーザは、本体の電源を切る、フロントライト消灯するなど、その状態を改善する処理を迅速に行なうことができる。さらに、本発明にかかる携帯端末装置が学習機能を発揮して前回の操作キーを点滅させるので、ユーザは、いちいち画面を見て操作方法を確認しなくても容易に操作キーを操作することが可能である。ローバッテリ状態の場合は携帯端末装置の機能が止まってしまう危険性もあることから、本発明にかかる携帯端末装置が行なうようにユーザに迅速に充電するよう対処することは有効である。また、本発明にかかる携帯端末装置は、フロントライトを消灯し一時的な回避方法で継続操作できる手段を選択肢として提示することで、ユーザのアシストの強化を図ることができる。
【０１２９】
また、本発明にかかる携帯端末装置が図４に示される処理を実行することで、ユーザは、表示装置の状態表示パターンから容易にインターネットに接続中であることが判断できる。一般的に、インターネットでのデータ取得にはある程度の時間が必要となる場合があり、その間に携帯端末装置の画面表示状態が凍結してしまう場合もある。そのような場合に、本発明にかかる携帯端末装置がこのような処理を実行することで、ユーザは表示装置を確認することで正常に動作していることが認知可能となる。また、従来の携帯端末装置ではインターネットに接続中であるかどうかの認知性がよくないことがあり、ユーザが、通信中であることを見逃し、接続を切忘れるケースも発生していた。しかしながら、本発明にかかる携帯端末装置は、長時間（所定時間）データ通信が行なわれていないことを検出してユーザに接続を切断するよう誘導を行なうため、このような事態の発生を効果的に防止することができる。また、本発明にかかる携帯端末装置は、学習機能を発揮して前回の操作キーを点滅させるので、ユーザの注意をより一層促すことができる効果があり、認知性を改善することができる。さらに、本発明にかかる携帯端末装置は、ユーザが切断操作を実行しないようであれば強制的に接続を切断するため、切忘れを防止する効果を高めることができる。
【０１３０】
また、本発明にかかる携帯端末装置が図５に示される処理を実行することで、ユーザは、新着メールがあることを視覚的に判断できる。従来の携帯端末装置では、新着メールがあったかどうかあいまいな場合、メールアプリケーションをいちいち起動して確認する必要があったが、本発明にかかる携帯端末装置を用いるとその作業が必要なくなり、ユーザの利便性が格段に向上する。また、メールアプリケーションの中には、自動的に所定間隔でインターネットにアクセスし新着メールを自動的に取得する機能を備えるものもあり、本発明にかかる携帯端末装置とこの機能とを組合わせることで、メールアプリケーションを起動してメールを取得して手動で新着メールを確認するという手間が省けることになり、さらにユーザの利便性が格段に向上する。また、本発明にかかる携帯端末装置は、新着メールがある表示状態において、操作キーに内蔵されている表示装置で必要な操作を誘導する機能を備えるため、ユーザはその誘導に沿って、ＯＫボタンを押下するだけで新着メールを簡単に即座に表示させ内容の確認が行なうことができる。あるいは新着メールの一覧表を表示させ、重要度の高い見たい新着メールから確認を行なうことができ、より一層ユーザの利便性を向上させている。さらに本発明にかかる携帯端末装置は学習機能を発揮して前回の操作キーを点滅させるので、ユーザは迅速に処理することが可能である。
【０１３１】
また、本発明にかかる携帯端末装置が図６に示される処理を実行することで、ユーザは、容易に録音中または録画中であるか判別できる。このため、ユーザは、録音、録画を開始した場合、表示装置の状態表示パターンによって正しく開始されていることを視覚的に確認することができる、また停止させた場合も、正しく停止していることを視覚的に確認することができて、的確に操作できたかどうかを確認することが可能となる。
【０１３２】
従来の携帯端末装置では、状態表示中に、操作キーを誘導させ録音録画の中止や一時停止処理を行なう場合、本体表示画面に表示される操作ボタンを用いて視操作する場合が多く、ボタンも小さく操作がよくない場合が多い。しかしながら、本発明にかかる携帯端末装置を用いることで、ユーザは点灯、点滅している操作キーを押下することにより、容易に操作することが可能となる。さらに本発明にかかる携帯端末装置は学習機能を発揮して、頻繁に操作する処理を記憶してその際に用いる操作キーを点滅させるので、ユーザは点滅しているキーを押すだけで操作でき、迅速に処理することが可能である。
【０１３３】
また、本発明にかかる携帯端末装置が図７に示される処理を実行して動作状態を示すと同時にユーザの嗜好にあった状態表示パターンを表示することにより、インセンティブ効果を引出すことができ商品性を向上させることが可能である。さらに、本発明にかかる携帯端末装置は、再生表示中に再生データが最終に到達して出力信号が出力されないことを検出しており、その際学習機能を発揮して操作キーを誘導表示し、再生の中止やアプリケーションの終了をユーザにナビゲートするので、ユーザの機能を高めることができる。
【０１３４】
また、本発明にかかる携帯端末装置が図８に示される処理を実行することで、ユーザは、メモリの残り容量が少ない状態になったことを容易に判別できる。メモリ不足が発生するとデータの保存ができなくなったり、またシステムの処理速度が低下したりするような場合もある。そのような場合に、本発明にかかる携帯端末装置が操作可能な操作キーに内蔵されている表示装置を点灯し誘導するので、ユーザは、不要なメモリを削減するためにメモリ状況を確認する、メモリの分断化を改善してメモリを確保するためにシステムを再起動するなど、その状態を改善する処理を迅速に行なうことができる。さらに、本発明にかかる携帯端末装置が学習機能を発揮して前回の操作キーを点滅させ、ユーザへのアシストを強化することができる。
【０１３５】
なお、表示装置における表示方法は本実施の形態に述べた表示方法に限定されるものではない。たとえば、表示装置がその光量（明るさや輝度）を調整する機能を備える場合には、表示装置を、その光量が通常状態とは異なる所定の光量で点灯させるための表示方法であってもよい。また、１つの操作キーに内蔵される表示装置が複数の色を備える場合には、表示装置を、その色が通常状態とは異なる所定の色で点灯させるための表示方法であってもよい。
【０１３６】
さらに、上述の実施の形態においては、携帯端末装置が表示装置において状態表示（上述のステップＳ７〜Ｓ１２）と誘導表示（上述のステップＳ２２〜Ｓ３３）との両方の表示を行なう旨を説明したが、本発明にかかる携帯端末装置は表示装置において必ずしも両方の表示を行なう必要はなく、一方の表示のみを行なってもよい。
【０１３７】
また、上述の携帯端末装置における表示装置の制御方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１３８】
提供されるプログラム製品は、ハードディスクなどのプログラム格納部にインストールされて実行される。なお、プログラム製品は、プログラム自体と、プログラムが記録された記録媒体とを含む。
【０１３９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】携帯端末装置１の外観の具体例を示す図である。
【図２】携帯端末装置１の機能構成を示すブロック図である。
【図３】携帯端末装置１において動作状態を表示する処理を示すフローチャートである。
【図４】携帯端末装置１において動作状態を表示する処理を示すフローチャートである。
【図５】携帯端末装置１において動作状態を表示する処理を示すフローチャートである。
【図６】携帯端末装置１において動作状態を表示する処理を示すフローチャートである。
【図７】携帯端末装置１において動作状態を表示する処理を示すフローチャートである。
【図８】携帯端末装置１において動作状態を表示する処理を示すフローチャートである。
【図９】誘導画面の具体例を示す図である。
【図１０】誘導画面の具体例を示す図である。
【図１１】誘導画面の具体例を示す図である。
【図１２】誘導画面の具体例を示す図である。
【図１３】誘導画面の具体例を示す図である。
【図１４】誘導画面の具体例を示す図である。
【図１５】誘導画面の具体例を示す図である。
【図１６】誘導画面の具体例を示す図である。
【図１７】誘導画面の具体例を示す図である。
【図１８】誘導画面の具体例を示す図である。
【図１９】誘導画面の具体例を示す図である。
【図２０】誘導画面の具体例を示す図である。
【符号の説明】
１  携帯端末装置、２  表示部、３  上下左右操作キー、４  赤色ＬＥＤ、５青色ＬＥＤ、６  ＯＫキー、７  Ｃａｎｃｅｌキー、８  制御部、９  メモリ、１０  バッテリ、１１  通信制御部、１２  録音録画再生制御部、１３〜１８白色ＬＥＤ、２０  操作キー。
【図１】
2005057347.tif 000003
【図２】
2005057347.tif 000004
【図３】
2005057347.tif 000005
【図４】
2005057347.tif 000006
【図５】
2005057347.tif 000007
【図６】
2005057347.tif 000008
【図７】
2005057347.tif 000009
【図８】
2005057347.tif 000010
【図９】
2005057347.tif 000011
【図１０】
2005057347.tif 000012
【図１１】
2005057347.tif 000013
【図１２】
2005057347.tif 000014
【図１３】
2005057347.tif 000015
【図１４】
2005057347.tif 000016
【図１５】
2005057347.tif 000017
【図１６】
2005057347.tif 000018
【図１７】
2005057347.tif 000019
【図１８】
2005057347.tif 000020
【図１９】
2005057347.tif 000021
【図２０】
2005057347.tif 000022